Podtech/llm-jp-corpus-v4-ja_patent huggingface dataset:
(57)【要約】      （修正有）【課題】本考案は、爆発の原因となる静電気の発生を極力抑えると共に、電源ＯＦＦの状態で生成されたブラウンガスを効率的に外部に排出する機構を供えることにより安心・安全な水素・酸素ガス生成器を提供する。【解決手段】排気口付円錐状の密閉蓋６を水素・酸素ガス貯気空間５の上部に配設し、ブラウンガスの滞留を無くすことで、水素・酸素ガス排気口８にスムーズに気流させ接続した吸入チューブ１０を経由して人体（鼻・口）に吸入させる。更に生成器使用後の移動等で生じる、電解液面１１の波立てによる静電気の発生を防止するために、波立防止板７を電解液面１１に配設する。【選択図】図１
0003206635.tif 000002
【実用新案登録請求の範囲】
【請求項１】
電解液を電解分解して水素・酸素ガス（ブラウンガスと略称）を発生する装置であって、（１）ブラウンガス発生による静電気等で起因する爆発を防止するために、排気口付円錐状の密閉蓋を配設し、発生容器内の貯気を速やかに排気口より吸入チューブに排出して貯気空間の滞留を最小限にし、（２）使用後に滞留したブラウンガスを円錐状の密閉蓋の上部に設けたガス抜き穴の止栓を外すことにより防止効果が更に良好になることを特徴とする水素・酸素ガス生成器。
【請求項２】
水素・酸素ガス発生容器内の電解液面に、取り出し容易な波立防止板を配設することにより、ブラウンガス発生時の生成器の移動等で生じる電解液面の波立ちを防止するとともに、（２）生成器の成型品全てに帯電防止剤及び抗菌剤を含有させ、静電気による爆発を防止することのできる請求項１記載の水素・酸素ガス生成器。
【考案の詳細な説明】
【技術分野】
【０００１】  本考案は、ブラウンガスを安心・安全に発生させ、人体に優しく吸入する発生装置に関するものである。
【背景技術】
【０００２】  ブラウンガスを人体に吸入することで、活性酸素の抑制・消去に有効であることから、直接吸入する方法が用いられている。【０００３】  例えば、ブラウンガスを吸入する方法は、既に特許文献１に、電気分解して得られたガスを吸入チューブで人体に吸入する生成器の提案がある。
【先行技術文献】
【特許文献】
【０００４】
【特許文献１】  特開２０１６−２３３６９  公報
【０００５】  しかし、ブラウンガスを直接吸入する方法として前記特許文献１の場合は、性能的にブラウンガスを大量に発生させることが出来るが、生成器の移動による電解液の波立ちと静電気の影響により爆発が発生することがあり、その対応はマニュアル通りの手段では難しい面がある。
【考案の開示】
【考案が解決しようとする課題】
【０００６】  本考案の目的は、爆発を防止し安心・安全にブラウンガスを吸引できる使い勝手のよい生成器を提供することである。
【課題を解決するための手段】
【０００７】  発生容器の上部に排気口付円錐状の密閉蓋を配設することで、貯気空間のブラウンガスの滞留を無くし排気口にスムーズに気流させる。【０００８】  更に生成器使用後の移動等で生じる電解液の波立ち防止は、１ｍｍ程度の厚みのシリコン等素材による板に多数通気口をあけた防止板で構成されている。【０００９】    生成器の電源をＯＦＦにしても電流が流れ続ける現象（静電電解）のため、ブラウンガスが発生し貯気空間に滞留する。この現象は移動による電解液の波立ちが加わり、静電気等による爆発を引き起こすことがある。その防止策として波立防止板を電解液面に配設する。【００１０】    発生容器内の貯気空間を極力小さくし速やかに排気口より吸入チューブに抵抗を少なく送り込む。排気口は、従来品より大きくし吸入チューブの径も併せて大きくするとともに、従来品より短く接続部の無いものを使用する。【００１１】  衛生及び安全面から部材（プラスチック等）には、帯電防止剤・抗菌剤を添加し成型しているので静電気発生及びカビ・菌の発生を抑制する。
【考案の効果】
【００１２】  上述の様に、従来の生成器と比較してこの水素・酸素ガス生成器は、安全・安心で衛生的に使用できるので、一般家庭・病院等での需要が見込まれる。
【考案を実施するための最良の形態】
【００１３】  以下、本考案の実施形態を図１〜図４に基づいて説明する。【００１４】  図１に於いて、１は水素・酸素ガス生成器で２は水素・酸素ガス発生容器である。６の排気口付円錐状の密閉蓋は、３の水素・酸素ガス密閉蓋保持部により２に配設される。【００１５】  図２は、７の波立防止板を上面から見た図で、７ａは、大小の通気口を設けているが、これ以外の通気口の形状になってもよい。【００１６】  図３の８は水素・酸素ガス排気口で従来品より大きくしている。９ａはガス抜き穴で、使用後又は移動の際は残留ガスを排出できるようにしている。【００１７】  図４の１０は水素・酸素ガス吸入チューブで、接続部がなく従来品より穴径を大きくしているのでブラウンガスの流れがよくなる。
【図面の簡単な説明】
【００１８】
【図１】本考案の水素・酸素ガス生成器の一部断面図
【図２】本考案の実施形態を示す波立防止板の平面図
【図３】本考案の実施形態を示す排気口付円錐状の密閉蓋の平面図
【図４】本考案の水素・酸素ガス吸入チューブの概要図
【符号の説明】
【００１９】１    水素・酸素ガス生成器
２    水素・酸素ガス発生容器
３    水素・酸素ガス密閉蓋保持部
４    電解液
５    水素・酸素ガス貯気空間
６    排気口付円錐状の密閉蓋
７    波立防止板
７ａ  ブラウンガス通気穴
８    水素・酸素ガス排気口
９    ガス抜き栓
９ａ  ガス抜き穴
１０  水素・酸素ガス吸入チューブ
１１  電極液面
１２  電極板
１３  電源部ケース（基台）
【図１】
0003206635.tif 000003
【図２】
0003206635.tif 000004
【図３】
0003206635.tif 000005
【図４】
0003206635.tif 000006
(57)【要約】      （修正有）【課題】梱包状態のままその一部を開封し、平置き又は吊り下げて一袋づつ取り出すことができ、更に開口部の所在が確認し易く使い易いポリ袋を提供する。【解決手段】積層梱包中に吊下げ部材を持ち、開口端部に段差を持たせた構造とする。片手操作で袋を取り出す事ができるとともに、袋自体に開口部が明示され、容易に開口できる。【選択図】図３
0003206636.tif 000002
【実用新案登録請求の範囲】
【請求項１】
使用時  その梱包状態から容易に取り出せ  更に容易に開口できるよう  開口端部に段差を持たせた形状の  ポリ袋。
【考案の詳細な説明】
【技術分野】
【０００１】  従来  この分野のポリ袋では  梱包状態から  袋を個々に取り出し難く  開口部に何も工夫がない場合  その部位と他の部位との区別すら解り難く  指で摘み摺り合わせる等煩わしく、印刷・別色材等を用いていた。
【背景技術】
【０００２】  ポリ袋の材料・加工コストを抑え  使用者の便宜を向上する工夫である。
【考案の開示】
【考案が解決しようとする課題】
【０００３】  梱包状態のまま  その一部を開封し  平置き又は吊り下げて  一袋づつ取り出し、更に開口部に段差のある事で  開口部の所在が確認し易く  使い易い状態とする。
【課題を解決するための手段】
【０００４】  プラスチックフィルムの２次加工の時  ポリ袋の深さの４倍余の幅のある元反の中央部に  ポリ袋の幅に相当するピッチで相当な窓を開け、その両サイドの若干離れた位置に浅い切れ目  若しくはミシン目を施し、次工程として、フィルムの両端を折って  左右に所定の深さの未完成な袋原体を作る。更に  その袋原体を  所定の幅で熱融着切断し別途  所定量  積層し  次工程を待つ。
ポリ袋の幅に相当する長さの心棒（針金、竹片、プラ片）（中程に中吊りの仕掛けを持つ）を  所定量積層したポリ袋半製品の中央に置き  心棒を挟み二つ折りにする。
心棒に前もって吊下げ用紐など施すのも良い。
【考案の効果】
【０００５】  加工設備工程に大きな違いも無く  使途に何等制限も無く  使い勝手は大幅に改善される。
【考案を実施するための最良の形態】
【０００６】  図１のようにプラスチックフィルムに前以て  中央に窓  その両サイドに浅い切れ目かミシン目を施し  両縁を折畳み  所定長毎に熔断熔接を施す。
【実施例１】
【０００７】図２のような  単層・中充填・中強度のポリ袋素材。
【産業上の利用可能性】
【０００８】  ポリ袋に限らず  薄幕平坦プラ袋の使い勝手に共通の問題があり、その改善に役立つ。
【図面の簡単な説明】
【０００９】
【図１】ロール状のフィルムに  窓、切れ目を施す。
【図２】既加工のフィルムの中央部を残し  折り畳む。
【図３】所定長さで（ポリ袋の幅）熔接・熔断する。
【図４】熔接熔断したポリ袋を積層して、中央に心棒を置き、二つ折りにする。
【符号の説明】
【００１０】  １  プラスチックフィルム素材
２  窓付き  切れ目の入った状態
３  横断熔接熔断封止線
【図１】
0003206636.tif 000003
【図２】
0003206636.tif 000004
【図３】
0003206636.tif 000005
【図４】
0003206636.tif 000006
(57)【要約】      （修正有）【課題】ナットをデザイン性もあり室内に設置しても違和感がなくビス一本でしかもそのビスが見えないように設置出来るビス留め専用ナットを提供する。【解決手段】ネジ溝２のある内側底の部分を塞いだ形状のナットで、ナットの中心にビスが通る程の穴３を設け、ナットの外側表面１をデザイン性のある円や花形等の任意の形状とした。  【選択図】図１
0003206638.tif 000002
【実用新案登録請求の範囲】
【請求項１】
ネジ溝▲１▼のある内側底の部分を塞いだ形状のナット中心にビスが通る程の穴▲２▼を設け、ナットの外側表面▲３▼をデザイン性のある  円や花形等の任意の形状とした  ビス留め専用ナット
【考案の詳細な説明】
【発明の詳細な説明】
【技術分野】
【０００１】本考案はナットだけを壁や柱等に外見からはわらないようにビス一本で留められるようにした物でそのナットの表面は円形や花などの装飾性のある形状でインテリアとしての機能もあるようにしたものである、【０００２】従来、ナットだけを壁や柱等に設置しようとした場合ナットの外側で何本かのビスで留める物はあったが外見も悪く  異物感がありデザイン性もなかった。
【発明が解決しようする課題】
【０００３】本考案は  ナットをデザイン性もあり室内に設置しても違和感がなくビス一本でしかも  そのビスが見えないように設置出来るようにした考案である。
【課題を解決するための手段】
【０００４】この課題を解決するための請求項１の考案は、ネジ溝を刻んだナットの内側底の部分を塞ぎ中心にビスが通る程の穴を設け、ナットの外側表面をデザイン性のある  円や花形等の任意の形状とした  ビス留め専用ナット
【０００５】本案を使用する時は本案の底面を設置したい位置に押し当て  内部のビス専用の穴にビスを通し  そのビスを電動インパクトで締め込み  その後設置したい任意の器具を本案にボルトで取り付ける、本案は外観を重視したデザインとしているため、室内に対する違和感を感じることなく、ビス一本で簡単に取り付けが出来、設置した本案にフック状のボルトや必要と思われる器具をかんたんに頑丈に取り付けることが出来る、そのことにより室内外を問わず  ロープを張ったり、物を掛けたり、吊るしたり。地震対策の家具転倒防止のアンカーとしても使える。。
【図面の簡単な説明】
【０００６】
【図１】本案の側面断面図
【図２】本案の平面図
【図３】本案の底面図
【符号の説明】
【０００７】▲１▼      ナットの外面
▲２▼      ナットねじ刻み部分
▲３▼      ビス留め専用の穴
【図１】
0003206638.tif 000003
【図２】
0003206638.tif 000004
【図３】
0003206638.tif 000005
(57)【要約】      （修正有）【課題】テニスコート・トラック・運動場等の広範囲に有る水溜まりの水を簡単に取り除く液体除去機を提供する。【解決手段】開放部を上にしたタンク１の外側に発泡性樹脂のロール４を回転できるように取り付けし、発泡性樹脂のロール４で水溜まりの水を吸収し吸収した水はタンク１の開放部の上で固い素材のロール６が発泡性樹脂面を圧迫して水を絞りタンク１の中に溜まるようにし、タンク１に溜まった水はタンク１の側版２の下方に付けたパイプ１３から外に流し捨てるようにしてタンク１の左右の側版２、２’に取り付けた角度の変えられるハンドル７を操りながら水溜りの有る所に移動できるようにした。【選択図】図２
0003206634.tif 000002
【実用新案登録請求の範囲】
【請求項１】
テニスコート・トラック・運動場等の屋外において水溜りの水を除去しようとする機具で左右の側板（２）（２’）に耳（３）（３’）を設けて開放部のついたタンクを取り付け配置しベアリング（１０）の上を回転できるように丸くした２つのＬ字型アングル（８）（８’）をエキスパンドメタル（９）でロール状に形成しエキスパンドメタル（９）の外側に発泡性樹脂を巻きつけ発泡性樹脂のロール（３）を作り発泡性樹脂のロール（３）の外周に固い素材のロール（６）を発泡性樹脂面に接地するように取り付けし、これらの部材はタンク（１）の左右側版（２）（２’）に取り付けた２本のコの字型の支柱（５）（５’）の内側に組まれていてタンク（１）はコの字型の支柱（５）（５’）で開放部が上になるように固定され発泡性樹脂のロール（３）はタンク（１）の外を回り発泡性樹脂のロール（３）の外周面に接地する固い素材のロール（６）はタンク（１）の開放部の上方になるように取り付けし、固い素材のロール（６）は２本のコの字型の支柱（５）（５’）の上方先端部に付けたネジ（７）（７’）に入っているボルト（１２）（１２’）で上下され発泡性樹脂の接地面への圧迫をコントロールでき、またタンク（１）の左右側版（２）（２’）には角度の変えられるハンドル（７）とパイプ（１３）を取り付けし、パイプ（１３）でタンク（１）内に溜まった水を外に流し出し角度の変えられるハンドル（７）を操り自在に移動することができるようにした液体除去機。
【考案の詳細な説明】
【技術分野】
【０００１】  本考案は発泡性樹脂のロールを転がして水を吸収させ、吸収した水をタンク内に絞り取り、溜め置き後で捨てるもので有る。【０００２】  本考案の目的はテニスコート・トラック・運動場等の広範囲に有る水溜りの水を簡単に取り除こうとするもので有る。
【背景技術】
【０００３】  従来、水溜りの水を取り除くためにはチリ取りで釈り取ったり、雑巾・モップ等で吸い取り絞り取っていた。【０００４】  上記の作業は、いずれも１回の動作で少量しか取り除くことができず繰り返し行わなくてはならなかったので、多くの時間と労力を要した。
【考案の概要】
【考案が解決しようとする課題】
【０００５】  上記にあるような不便を無くし広範囲に有る水溜りの水を簡単に素早く取り除こうとすることで有る。
【課題を解決するための手段】
【０００６】  角度の変えられるハンドルと２本の支柱とで固定された、上方に開放部をつけたタンクの外側にタンクの両側耳付き側版の耳に取り付けたベアリングにより前後に滑らかに回転できるようにＬ字型アングルとエキスパンドメタルで円筒に形作られたエキスパンドメタルの上に発泡性樹脂を巻き付け発泡性樹脂のロールを作る。【０００７】  発泡性樹脂のロールの外周上部で内側に有るタンクの開放部に位置する所で発泡性樹脂面を圧迫しながら発泡性樹脂のロールの回転に伴って回転し発泡性樹脂が吸収した水を絞り出す固い素材のロールを取り付ける。【０００８】  水を絞り出す固い素材のロールは２本の支柱の上部先端に付けたネジでボルトを上下させ圧迫調整できタンクの側版の下方にはタンク内部に貫通したパイプを取り付けタンク内の水を流して外に捨てられパイプにビニール・ゴムホース等を取り付ければ本体の遠くに水を捨てることができる。
【考案の効果】
【０００９】  ハンドルを操り水溜りの上で発泡性樹脂のロールを転がせば発泡性樹脂が水を吸収し吸収された水は発泡性樹脂の上部外周面を圧迫する固い素材のロールで絞られ内側に有るタンクの開放部よりタンク内に溜められるので広範囲に有る水溜りの水を移動しながら簡単に除去できる。
【図面の簡単な説明】
【００１０】
【図１】本考案の斜視図
【図２】本考案の斜視図の一部断面図
【図３】本考案の側面の一部断面図
【考案を実施するための形態】
【００１１】  左右の側版（２）（２’）の耳（３）（３’）にベアリング（１０）を取り付けた開放部の有るタンク（１）を２本のコの字型の支柱（５）（５’）と角度が変えられるハンドル（７）で固定させタンク（１）の開放部は２本のコの字型の支柱（５）（５’）の間で上方に向くように取り付ける。
【００１２】  ベアリング（１０）の上を回転できるように丸くした２つのＬ字型アングル（８）（８’）とエキスパンドメタル（９）でロールに形成しエキスパンドメタル（９）の外側に発泡性樹脂を巻き付けて発泡性樹脂のロール（４）を作る。
【００１３】  発泡性樹脂のロール（４）の外周の上面でタンク（１）の開放部に位置する所の発泡性樹脂面に接地するように固い素材のロール（６）を取り付ける。
【００１４】  固い素材のロール（６）はコの字型の支柱（５）（５’）の上方先端に取り付けたネジ（１１）（１１’）に入っているボルト（１２）（１２’）で上下され発泡性樹脂のロール（４）の発泡性樹脂面を圧迫することができ発泡性樹脂が吸収した水を絞り出すことができる。
【００１５】  側版（２）の下方にタンク（１）の内部底方に貫通するパイプ（１３）を取り付けタンク（１）に溜まった水を外に流し出すことができる。
【実施例】
【００１６】  本考案の角度が変えられるハンドル（７）を操り移動できるのでテニスコート・トラック・運動場等の水溜まりのところで発泡性樹脂のロール（４）を回転させれば発泡性樹脂が水を吸収し吸収された水は固い素材のロール（６）でタンク（１）の開放部上で絞られタンク（１）の中に溜められ溜まった水はパイプ（１３）より外に捨てることができパイプ（１３）にビニール・ゴムホース等を取り付ければ本体の遠くに捨てることができる。
【産業上の利用可能性】
【００１７】  水溜りの水を簡単に取り除くことができるので、雨が止めばすぐに外において活動できる。
【符号の説明】
【００１８】  １    タンク
２    側版
２’  側版
３    側版の耳
３’  側版の耳
４    発泡性樹脂のロール
５    コの字型の支柱
５’  コの字型の支柱
６    固い素材のロール
７    角度が変えられるハンドル
８    Ｌ字型アングル
８’  Ｌ字型アングル
９    エキスパンドメタル
１０    ベアリング
１１    ネジ
１１’  ネジ
１２    ボルト
１２’  ボルト
１３    パイプ
【図１】
0003206634.tif 000003
【図２】
0003206634.tif 000004
【図３】
0003206634.tif 000005
(57)【要約】      （修正有）【課題】最小限の空間によって骨壺の収納を可能とし、収納後の墓石の保全を容易とする墓石を提供する。【解決手段】円筒状の骨壺収納機構１と、上底面に傾斜のあることを特徴とし、当該上底面にはプレート接合部３を備え、下底面には収納接合部を備えた円柱状の蓋部２と、からなる。【選択図】図１
0003206677.tif 000002
【実用新案登録請求の範囲】
【請求項１】
上底面に傾斜のあることを特徴とし、当該上底面にはプレート接合部３を備え、下底面には収納接合部４を備えた円柱状の蓋。
【請求項２】
円筒状の骨壺収納機構１と、
上底面に傾斜のあることを特徴とし、当該上底面にはプレート接合部３を備え、下底面には収納接合部４を備えた円柱状の蓋部２と、
からなる墓石。
【考案の詳細な説明】
【技術分野】
【０００１】
本考案は、狭小な場所に遺骨の収納を可能とする墓に関するものである。
【背景技術】
【０００２】
一般的な墓石からなる墓地の場合、墓地に線香台・献花台・灯篭を配置されるのが一般的であり、納骨に必要な空間の数倍の広さを確保しなければならない。
【０００３】
しかし上記の広さを確保するためには、土地の賃貸費用や工事費用など多額の費用が必要となり、後継者の少ない現代ではこのような負担によって一般的な墓への納骨が困難となる状況も生じている。
【０００４】
また一般的な墓石には、納骨のための空間が広く設けられているが、前述したように後継者の少なくなった現代ではこうした空間が活用されていない。さらに後継者の不足による墓石の保全が不十分という状況も生じている。
【考案の概要】
【考案が解決しようとする課題】
【０００５】
解決しようとする問題点は、墓石における不要な空間によるコストの増大及び墓石保全が煩雑となっている点である。
【課題を解決するための手段】
【０００６】
本考案は、納骨時に使用される骨壺を密接に接合した状態で収納可能な円筒状の収納機構を備えており、当該機構には花崗岩を主成分とする蓋部が備えられていることを主要な特徴とする。
【考案の効果】
【０００７】
本考案は，円筒状の収納機構を備えるために、骨壺を収納するための最小限の空間のみを必要とする。したがって墓地にかかる費用を少額に抑えることが可能となっている。また円筒状の収納機構は地中に埋め込まれ、蓋部のみが露出した状態で使用されるが、蓋部には花崗岩を使用しているため、保全が容易となっている。
【図面の簡単な説明】
【０００８】
【図１】図１は本考案の実施例の斜視図である。（実施例１）
【図２】図２は本考案の蓋部２の下底面からの斜視図である。
【図３】図３は本考案の蓋部２の右側面図である。
【考案を実施するための形態】
【０００９】
以下図示された実施例に基づいて説明する。
【実施例１】
【００１０】
骨壺収納機構１は、プラスティック製であり、骨壺が密接に接合した状態で収納が可能となっている。骨壺収納機構１の長さを調整することで複数の骨壺を収納することも可能である。骨壺収納機構１はプラスティック製、石材製、金属製のいずれであってもよいが、プラスティック製が最も好ましい。
【００１１】
蓋部２は、花崗岩を主成分とする石材製であり、下底面に設けられた収納接合部４と骨壺収納機構１とが密着しているため、骨壺収納機構１に雨水などの異物が混入するのを防止する。また蓋部２の上底面には、プレート接合部３を備えており、当該プレート接合部３に氏名等を刻銘したプレートを装着可能となっている。さらに上底面には傾斜があるため、雨水が蓋部２に溜まることを防止する。
【００１２】
使用例としては図１に示すように、骨壺収納機構１を地中に設けられた孔に挿入し、蓋部２を上部に設置する。
【符号の説明】
【００１３】
１  骨壺収納機構
２  蓋部
３  プレート接合部
４  収納接合部
【図１】
0003206677.tif 000003
【図２】
0003206677.tif 000004
【図３】
0003206677.tif 000005
(57)【要約】      （修正有）【課題】バターが硬い場合においても、ばらけた状態にて適量削り取ることができ、且つ、そのままパンに塗り付けることができ、清掃も容易で清潔なバターナイフを提供する。【解決手段】塗布部２に握持部３を延設して成るバターナイフ１であって、塗布部２の裏面に適宜間隔置きに多数の削取用突起４を設けて成り、削取用突起４の削取面が、塗布部２の幅方向一方の側に向いていて、削取面の反対側に傾斜面を有していることを特徴とする。削取用突起４の削取面と塗布部２のなす角度は９０度以下であり、また、削取面は、三角形状、半楕円形状、四角形状、あるいは、台形状である。【選択図】図１
0003206691.tif 000002
【実用新案登録請求の範囲】
【請求項１】
塗布部に握持部を延設して成るバターナイフであって、前記塗布部の裏面に適宜間隔置きに多数の削取用突起を設けて成り、前記削取用突起の削取面が、前記塗布部の幅方向一方の側に向いていて、前記削取面の反対側に傾斜面を有していることを特徴とするバターナイフ。
【請求項２】
前記削取用突起の削取面と前記塗布部のなす角度が９０度以下である、請求項１に記載のバターナイフ。
【請求項３】
前記削取面は、三角形状、半円形状、四角形状、あるいは、台形状である、請求項１又は２に記載のバターナイフ。
【考案の詳細な説明】
【技術分野】
【０００１】
本考案は、バターやマーガリン類（以下単にバターとする）をパン等に塗るために用いるバターナイフに関するものであり、特に硬めのバターに対して用いるのに好適なバターナイフに関するものである。
【背景技術】
【０００２】
バターをパン等に塗るためのバターナイフとして、種々の形態のものが市販されている。その多くは、表裏が平坦な塗布部に握持部を延設したもので、操作性を考えて、握持部は塗布部に対して角度を持たせて形成されている。通例、このタイプのバターナイフで以て、バターのパン等への塗り作業に支障はない。しかし、冬期や冷蔵庫からの取り出し時等においてバターが硬いときは、塗布部の側部でバターの表面を強く擦って削り取っていく必要があるが、その削り取りは容易ではなく、削り取ったとしてもそれはバターの大きな塊りであるため、パンに塗りにくい。
【０００３】
バターを円滑に塗布することができるようにするために、塗布面に凹凸部を設けたバターナイフが提案されている（特許文献１：特開平８−１０４５７号公報）。しかし、このように塗布面に凹部を設けると、そこにゴミやカスが溜まりやすく、除去しにくいので、不衛生である。
【先行技術文献】
【特許文献】
【０００４】
【特許文献１】特開平８−１０４５７号公報
【考案の概要】
【考案が解決しようとする課題】
【０００５】
上述したように、従来のバターナイフは、バターが硬い時には使い勝手が悪く、塗布面に凹凸部を設けたバターナイフの場合は、衛生面で問題がある。そこで本考案は、バターが硬い場合においても、ばらけた状態にて適量削り取ることができ、且つ、そのままパンに塗り付けることができ、清掃も容易で清潔なバターナイフを提供することを課題とする。
【課題を解決するための手段】
【０００６】
上記課題を解決するための請求項１に記載の考案は、塗布部に握持部を延設して成るバターナイフであって、前記塗布部の裏面に適宜間隔置きに多数の削取用突起を設けて成り、前記削取用突起の削取面が、前記塗布部の幅方向一方の側に向いていて、前記削取面の反対側に傾斜面を有していることを特徴とするバターナイフである。
【０００７】
一実施形態においては、前記削取用突起の削取面と前記塗布部のなす角度が９０度以下であり、また、前記削取面は、三角形状、放物線形状（半楕円形状）、四角形状、あるいは、台形状である。
【考案の効果】
【０００８】
本考案は上記のとおりであって、本考案に係るバターナイフは、塗布部の裏面に適宜間隔置きに多数の削取用突起を設けて成り、削取用突起の削取面が、塗布部の幅方向一方の側に向いていて、削取面の反対側に傾斜面を有しているので、この塗布部の裏面で硬いバターの表面を塗布部の幅方向に擦れば、バターはいかに硬くても、各削取用突起によって簡単に削り取ることができ、削り取られたバターは突起に付着した細かな塊であるため、塗布部の裏面をパン上にあてがって上記と逆方向に擦り付けることにより、傾斜面の作用で簡単にバターの塗り作業を行うことができる効果がある。また、凹部がないため清掃が用意で、清潔な状態を維持し得るものである。
【図面の簡単な説明】
【０００９】
【図１】本考案に係るバターナイフの外観例（裏面側）を示す斜視図である。
【図２】本考案に係るバターナイフの削取用突起の作用を示す図である。
【考案を実施するための形態】
【００１０】
本考案を実施するための形態について、添付図面を参照しつつ詳細に説明する。本考案に係るバターナイフ１は、一般のものと同様に、塗布部２に握持部３を延設して成るものであるが、塗布部２の裏面に適宜間隔置きに多数の削取用突起４を設けたところに特徴がある。
【００１１】
削取用突起４は、その削取面５が塗布部２の幅方向一方の側に向くように形成される。例えば、削取用突起４は円錐を縦割りした形状で、その場合の削取面５は三角形状や放物線形状（半楕円形状）となる。また、削取用突起４は、その削取面５が台形や四角形となるような形状であってもよい。これらいずれの場合においても、削取面５と塗布部２のなす角度は９０度以下、好ましくは、７０〜９０度の範囲とされる。
【００１２】
本考案に係るバターナイフは、主に硬いバターに対して使用するもので、使用に当たっては、多数の削取用突起４を設けた塗布部２の裏面をバターの上に乗せ、若干力を入れてバターの表面を擦るようにして、塗布部２の幅方向（方向ａ）に移動させる（図２（Ａ））。その方向は、削取面５が向いている方向である。そのように移動させることにより、削取用突起４の削取面５がその先端からバター７表面に食い込んでいくので、バター７はいかに硬くても、各削取用突起４の削取面５によって簡単に削り取ることができる。
【００１３】
削り取られたバター塊８は、各削取面５に付着する細かにばらけた状態のものであるので、塗布部２の裏面をパン９面に当てて、塗布部２を上記とは逆の方向ｂに移動させると、各削取面５に付着しているバター塊８は、パン９面との摩擦等によって次第に削取面５から離れてパン９面上へ移っていき、塗布部２を何度か方向ｂの方向に移動させることにより、削取用突起４の傾斜面６によって擦られてパン９面に塗着される。
【００１４】
このように、本考案に係るバターナイフによれば、如何に硬いバターであっても、簡単に適量削り取ることができ、そのまま幅方向に移動させることでパンに塗り付けることができるので、硬いバターの塗り作業に苦労することがなくなる。
【符号の説明】
【００１５】
１    バターナイフ
２    塗布部
３    握持部
４    削取用突起
５    削取面
６    傾斜面
７    バター
８    バター塊
９    パン
【図１】
0003206691.tif 000003
【図２】
0003206691.tif 000004
(57)【要約】      （修正有）【課題】樹脂製接着剤を用いて貼り付けた際の目地剥落を防止する、目地剥落防止タイルを提供する。【解決手段】建物の壁面に配置する目地剥落防止タイル１であって、目地剥落防止タイルは外形が方形であり、上面１１および下面１２の全長に亘って、少なくとも一本の溝２を形成する。【選択図】図１
0003206611.tif 000002
【実用新案登録請求の範囲】
【請求項１】
建物の壁面に配置する目地剥落防止タイルであって、
前記目地剥落防止タイルは外形が方形であり、
上面および下面の全長に亘って、少なくとも一本の溝を形成することを特徴とする、
目地剥落防止タイル。
【請求項２】
請求項１に記載の目地剥落防止タイルにおいて、
両側面にも全長に亘る少なくとも一本の溝を形成することを特徴とする、
目地剥落防止タイル。
【請求項３】
請求項１又は請求項２に記載の目地剥落防止タイルにおいて、
前記溝は、裏面からタイル厚の３分の２の範囲内に形成することを特徴とする、
目地剥落防止タイル。
【考案の詳細な説明】
【技術分野】
【０００１】
本考案は、建築物の外装や内装などの壁面の仕上げに用いる、目地剥落防止タイルに関する。
【背景技術】
【０００２】
従来、タイル貼りは、壁面ａにモルタルｂを塗布し、モルタルｂ面にタイルｃを貼り付け、その後、目地部分に目地ｄを詰める方法が一般的である（図５ａ）。
近年は、モルタルｂに代えて樹脂製の接着剤ｅを用いてタイルを貼り付ける方法も広く使用されている（図５ｂ）。
【考案の概要】
【考案が解決しようとする課題】
【０００３】
接着剤ｅを用いたタイル貼りの場合、目地ｄと接着剤ｅの材質が異なるため、目地ｄが接着剤ｅ面から剥落してしまうおそれがある。
【０００４】
本考案は、樹脂製接着剤を用いて貼り付けた際の目地剥落を防止する、目地剥落防止タイルを提供することを目的とする。
【課題を解決するための手段】
【０００５】
上記目的を達成するためになされた本願の第１考案は、建物の壁面に配置する目地剥落防止タイルであって、前記目地剥落防止タイルは外形が方形であり、上面および下面の全長に亘って、少なくとも一本の溝を形成することを特徴とする、目地剥落防止タイルを提供する。
本願の第２考案は、第１考案の目地剥落防止タイルにおいて、両側面にも全長に亘る少なくとも一本の溝を形成することを特徴とする、目地剥落防止タイルを提供する。
本願の第３考案は、第１考案又は第２考案の目地剥落防止タイルにおいて、前記溝は、裏面からタイル厚の３分の２の範囲内に形成することを特徴とする、目地剥落防止タイルを提供する。
【考案の効果】
【０００６】
本考案は、上記した課題を解決するための手段により、次のような効果の少なくとも一つを得ることができる。
（１）タイル側面に溝を形成することにより、溝内部に充填された目地材が硬化して溝と係合し、目地の剥落を防止する。
（２）溝を複数本設けることにより、目地とタイルが係合しやすくなり、より目地の剥落を防止できる。
（３）溝を裏面からタイル厚の３分の２の範囲内に形成することにより目地内部に溝が納まる。
【図面の簡単な説明】
【０００７】
【図１】目地剥落防止タイルの説明図
【図２】目地剥落防止タイルの壁面への配置状態の説明図
【図３】溝を側面に設けた場合の説明図
【図４】溝を複数本設ける場合の説明図
【図５】従来のタイル貼りの説明図
【考案を実施するための形態】
【０００８】
以下、図に示す実施例に基づき、本考案を詳細に説明する。
【実施例１】
【０００９】
（１）目地剥落防止タイル。
本考案の目地剥落防止タイル１は、方形のタイルの周面に溝２を設けたものである（図１）。
本考案の目地剥落防止タイル１は、壁面Ｗに接着剤３を塗布し、接着剤３面に貼り付けて建物の壁面Ｗに配置する。隣り合う目地剥落防止タイル１間の目地部分にはモルタルからなる目地４を詰める。
【００１０】
（２）溝。
本考案の目地剥落防止タイル１は接着剤３により壁面Ｗに貼り付けるため、目地部分の壁面Ｗ表面にも接着剤３層が存在する。
目地４を構成するモルタルは、接着剤３との接着力が弱く、目地４が接着剤３から剥がれるおそれがある。このとき、目地剥落防止タイル１の周面には溝２が設けてあり、溝２内部に充填された目地４が硬化して溝２と係合されているため、目地４の剥落を防止する。
【００１１】
（３）溝を設ける面。
溝２は目地剥落防止タイル１の上面１１および下面１２の全長に亘って設ける（図１）。
また、上面１１、下面１２だけでなく、側面１３に溝を設けてもよい（図３）。
【００１２】
（４）溝の本数。
各面に設ける溝２は、一本でも良いし、複数本でも良い（図４）。
溝２を複数本設けることにより、目地４と目地剥落防止タイル１が係合しやすくなり、より目地４の剥落を防止できる。
【００１３】
（５）溝の位置。
溝２は目地剥落防止タイル１の裏面から、タイル厚の３分の２の範囲内に形成する（図４ａ、ｂ）。
溝２を壁面Ｗ寄りに形成することにより、目地４内部に溝２が納まる。
目地４を浅目地とする場合には、溝２の位置は、タイル厚の３分の２の範囲内に限定されない（図４ｃ）。
【符号の説明】
【００１４】
１        目地剥落防止タイル
１１      上面
１２      下面
１３      側面
２        溝
３        接着剤
４        目地
【図１】
0003206611.tif 000003
【図２】
0003206611.tif 000004
【図３】
0003206611.tif 000005
【図４】
0003206611.tif 000006
【図５】
0003206611.tif 000007
(57)【要約】      （修正有）【課題】真空チャンバー間を開閉するための構造が単純かつ低コストで必要に応じ両側の真空チャンバー開口部の封止が可能なバルブを提供する。【解決手段】独立した二つの真空チャンバー１、２間に設けられ、真空チャンバー開口部３、４に連結して開口部３、４を壁面に有するバルブケースとバルブケースの中心軸回りに回転運動可能で中央部に中空の貫通路が形成されている回転体と回転体を回転させるための回転体駆動部と、回転体の回転半径方向に移動してバルブケース開口部を封止する単一の弁体と開口部封止時には弁体を回転半径方向に張り出させ、回転体回転時には弁体を回転半径方向を引き寄せるための弁体移動機構を備えるようにした。回転体の回転角度を制御することにより、片側の真空チャンバー１、２に連結されたバルブケース開口部の封止または反対側の真空チャンバー１、２に連結されたバルブケース開口部の封止またはバルブケース開口部間の貫通開放を任意に選択できるようにした。【選択図】図１
0003206604.tif 000002
【実用新案登録請求の範囲】
【請求項１】
独立した二つの真空チャンバー間に設けられ、夫々の真空チャンバー開口部に連結して開口部を壁面に有するバルブケースと、バルブケースの中心軸回りに回転運動可能で中央部に中空の貫通路が形成されている回転体と、回転体を回転させるための回転体駆動部と、回転体の回転半径方向に移動してバルブケース開口部を封止する単一の弁体と、開口部封止時には弁体を回転半径方向に張り出させ、回転体回転時には弁体を回転半径方向を引き寄せるための弁体移動機構を備え、回転体の回転角度を制御することにより、片側の真空チャンバーに連結されたバルブケース開口部の封止、または反対側の真空チャンバーに連結されたバルブケース開口部の封止、またはバルブケース開口部間の貫通開放を任意に選択することが可能であることを特徴とする回転式開閉バルブ。
【考案の詳細な説明】
【技術分野】
【０００１】
本考案は、独立した二つの真空チャンバー間に設けられ、真空チャンバー開口部を開閉するためのバルブに関するものである。
【背景技術】
【０００２】
これまで、真空処理装置の真空チャンバー間を開閉するための仕切バルブ゛としては、バルブケース内を上下に板状の弁体が移動し、この弁体は弁軸上端に固定されており、弁軸はシール内を摺動し、このシールと弁軸上端間にベローズが設けられ、弁軸が摺動してもバルブケース内の真空が維持されるようになっている。これにより弁体が上下動してバルブケースの貫通孔が開閉するようになっている。
【０００３】
前記の真空処理装置のバルブにおいては、両真空チャンバー間の貫通空間内に位置するベローズは真空内で伸縮しかつストロークが長くなるため、寿命が短いばかりでなくパーティクル発生の原因となっていた。また、前記のバルブは、板状の弁体を使用しているので片側の真空チャンバーのみしか封止ができなかった。
【０００４】
これらの問題を解決するため両側に弁体を設けた回転式バルブが提案されたが
弁体移動機構が個々の弁体に必要となり構造が複雑でバルブの小型化、低コスト化には向かず未だ実用化には至っていない。
【先行技術文献】
【特許文献】
【０００５】
【特許文献１】特許第４００２９０６号
【特許文献２】特許第４１２４６３７号
【考案の概要】
【考案が解決しようとする課題】
【０００６】
本考案は、上記の問題点に鑑み、構造が単純かつ低コストで、必要に応じ両側の真空チャンバー開口部の封止が可能なバルブを提供することを目的とする。
【課題を解決するための手段】
【０００７】
本考案では、独立した二つの真空チャンバー間に設けられ、真空チャンバー開口部に連結して開口部を壁面に有するバルブケースと、バルブケースの中心軸回りに回転運動可能で中央部に中空の貫通路が形成されている回転体と、回転体を回転させるための回転体駆動部と、回転体の回転半径方向に移動してバルブケース開口部を封止する単一の弁体と、開口部封止時には弁体を回転半径方向に張り出させ、回転体回転時には弁体を回転半径方向を引き寄せるための弁体移動機構を備えるようにした。
【０００８】
回転体の回転角度を制御することにより、片側の真空チャンバーに連結されたバルブケース開口部の封止、または反対側の真空チャンバーに連結されたバルブケース開口部の封止、またはバルブケース開口部間の貫通開放を任意に選択できるようにした。
【考案の効果】
【０００９】
本考案の回転式開閉バルブは、単一の弁体が載置されている回転体の回転角度を制御することで任意の真空チャンバー側開口部の封止及びバルブケース開口部間の貫通開放が可能となっただけでなく、簡単な構造のためコンパクトで低コストのバルブを製作可能となった。
【図面の簡単な説明】
【００１０】
【図１】真空チャンバー間に回転式開閉バルブが接続された模式図
【図２】回転式開閉バルブの内部構造図
【図３】回転式開閉バルブの運用例図
【実施例】
【００１１】
図面に従って本考案の実施の形態を説明する。
図１は真空チャンバー間に回転式開閉バルブが接続された模式図である。独立した二つの真空チャンバー１、２間に回転式開閉バルブ５が設けられ、前記回転式開閉バルブが真空チャンバー開口部３，４に連結して、真空チャンバー間の貫通路形成または遮断封止を行っている。
【００１２】
図２は回転式開閉バルブの内部構造図である。前記回転式開閉バルブ５は真空チャンバー開口部３，４に連結して開口部を壁面に有するバルブケース６と、バルブケースの中心軸回りに回転運動可能で中央部に中空貫通路１２が形成されている回転体７と、回転体を回転させるための回転体駆動部８と、回転体の回転半径方向に移動してバルブケース開口部を封止する単一の弁体９と、開口部封止時には弁体を回転半径方向に張り出させ、回転体回転時には弁体を回転半径方向を引き寄せるための弁体移動機構１０で構成されており、簡単な構造でバルブケース内中空貫通路形成、バルブケース開口部いずれかの封止を行うことが出来る。
【００１３】
図３は回転式開閉バルブの運用例図である。（Ａ）は回転体の回転角度を０°にすることにより、弁体９を片側の真空チャンバーに連結されたバルブケース開口部１３に合わせて封止を行っている。（Ｂ）は回転体の回転角度を９０°にすることにより、弁体９をバルブケース中間部に合わせてバルブケース開口部間の中空貫通路形成を行っている。また、（Ｃ）は回転体の回転角度を１８０°にすることにより、弁体９を反対の真空チャンバーに連結されたバルブケース開口部１４に合わせて封止を行っている。
【符号の説明】
【００１４】
１、２  真空チャンバー
３、４  真空チャンバー開口部
５      回転式開閉バルブ
６      バルブケース
７      回転体
８      回転体駆動部
９      弁体
１０    弁体移動機構
１１    回転軸
１２    中空貫通路
１３    バルブケース開口部（１）
１４    バルブケース開口部（２）
【図１】
0003206604.tif 000003
【図２】
0003206604.tif 000004
【図３】
0003206604.tif 000005
(57)【要約】      （修正有）【課題】ハンドル部とブラシ部を分割、脱着式にし、歯ブラシ以外に髭剃り用カミソリの替え刃カートリッジを取り付けられるようにした歯ブラシを提供する。【解決手段】ハンドル先端部Ａに脱着用の支柱と磁石を埋め込み、ヘッドの差込部Ｂに磁石に吸引される金属板を使用する。差込むだけで装着でき、安定して使用でき、引っ張ることでヘッドを容易にはずすことができる。ハンドルＣの形状は歯ブラシ、カミソリそれぞれの機能が生かせるよう工夫した。歯ブラシのブラシ形状などの種類を増やすことで用途を広げられる。ハンドルは長期使用できるので、本体ごと捨てる現状の多くの歯ブラシより資源の節約が可能である。【選択図】図１
0003206625.tif 000002
【実用新案登録請求の範囲】
【請求項１】
歯ブラシのハンドル部とブラシ部を分割、脱着式にし、ブラシ以外にカミソリの替え刃カートリッジを取り付けられるようにしたもの。歯ブラシとカミソリの使いやすいハンドル形状が共通、類似していることに着目し、ヘッド部分を交換式にすることで、１本化。歯ブラシやカミソリを何本も持つ必要をなくし、ヘッドのみ使い捨てにすることで、資源のムダにも配慮した。
【考案の詳細な説明】
【技術分野】
【０００１】  本考案は、歯ブラシのハンドル部とブラシ部を分割、脱着式にし、カミソリの替え刃カートリッジも取り付けられるようにしたものである。
【背景技術】
【０００２】  出張等の際、歯ブラシ、カミソリは別々に２本（以上）を携帯していた。
【考案の概要】
【考案が解決しようとする課題】
【０００３】  歯ブラシやカミソリをいくつも携帯するのは煩雑。ハンドルも含めて使い捨てにするのは資源の無駄。
【課題を解決するための手段】
【０００４】  ハンドル先端に脱着用の支柱と磁石を、ヘッドの差込部分には金属を使用し、固定する。またハンドルの形状を歯ブラシ、カミソリそれぞれの機能が生かせるよう工夫した。
【考案の効果】
【０００５】  ハンドルを１本だけにできることで、携帯性が向上。ヘッドの種類を増やすことでさらに用途も広がる。ハンドルは使い捨てないのでエコに貢献。
【図面の簡単な説明】
【０００６】
【図１】本考案のハンドルおよび交換ヘッドの上面・側面図である。
【考案を実施するための形態】
【０００７】  ハンドルの先端面に磁石、交換ヘッドの差し込み面に金属板を埋め込むことで、容易に交換ヘッドを脱着でき、かつ安定して使用できる。ハンドルのカーブ形状を工夫したことにより、歯を磨くときでも、ヒゲを剃るときでもどちらの用途にも使いやすい
【実施例】
【０００８】  ハンドルに歯ブラシヘッドを差し込むと、Ａの磁石とＢの金属板によって固定され、歯ブラシとして使用できる。歯ブラシヘッドを引き抜き、かみそりヘッドを同様に差し込むことで、髭剃りとして使用できる。ハンドルは長期使用が可能で、ヘッド部は消耗品として使い捨てができる。
【符号の説明】
【０００９】    Ａ  磁石
Ｂ  金属板
Ｃ  ハンドル
【図１】
0003206625.tif 000003
【手続補正書】
【提出日】平成28年7月5日(2016.7.5)
【手続補正１】
【補正対象書類名】実用新案登録請求の範囲
【補正対象項目名】全文
【補正方法】変更
【補正の内容】
【実用新案登録請求の範囲】
【請求項１】
ハンドル先端部分に極小スチール製スプリングと硬質プラスチック製ボール球を組み込んだ突起をつけ、カミソリの替え刃とのヘッド交換を容易にした歯ブラシ。
【手続補正２】
【補正対象書類名】明細書
【補正対象項目名】全文
【補正方法】変更
【補正の内容】
【考案の詳細な説明】
【技術分野】
【０００１】本考案は、ヘッド交換式の歯ブラシの脱着機能に工夫をし、既存のものより容易にヘッド交換ができるようにした。またひげ剃りとしても使いやすいハンドル形状することで、カミソリヘッドに付け替えてひげも剃れるようにしたものである。
【背景技術】
【０００２】既存のヘッド交換式歯ブラシは、ハンドル側に金属棒、ヘッド側の穴が凹凸をつけたプラスチックがほとんどで、抜きにくく、年に数回のヘッド交換ならまだしも、日常的に交換するのは面倒であった。そのため、出張等の際、歯ブラシ、カミソリは別々に２本（以上）を携帯していた。
【考案の概要】
【考案が解決しようとする課題】
【０００３】ヘッドの抜き差しを容易にする。日常的なヘッド交換を可能にすることで、カミソリとしても使える歯ブラシとして実用性を持たせる。
【課題を解決するための手段】
【０００４】ハンドル先端に極小スチール製スプリングと極小・硬質プラスチック製ボール球を組み込んだ突起をつけ、ヘッドの差込と固定、特に取り外しを容易にした。
【考案の効果】
【０００５】ヘッド交換を容易し、ハンドルを１本だけにできることで、携帯性が向上。ヘッドの種類を増やすことでさらに用途も広がる。ハンドルは使い捨てないのでエコに貢献。
【図面の簡単な説明】
【０００６】
【図１】本考案のハンドルおよび交換ヘッドの上面・側面図である。
【考案を実施するための形態】
【０００７】ハンドル先端に極小スチール製スプリングと極小・硬質プラスチック製ボール球を組み込んだ突起をつけることで、容易に交換ヘッドを脱着でき、かつ安定して使用できる。ハンドルのカーブ形状を工夫したことにより、歯を磨くときでも、ヒゲを剃るときでもどちらの用途にも使いやすい
【実施例】
【０００８】ハンドルに歯ブラシヘッドを差し込むと、極小スチール製スプリングによって硬質プラスチック製ボール球が押し込まれ、ヘッド部の溝に入ると元の位置に戻るため、固定される。引き抜く際も同様で、既存のブラシ交換式の歯ブラシよりも容易にヘッド交換ができる。また同形状のみそりヘッドを差し込むことで、髭剃りとして使用できる。ハンドルは長期使用が可能で、ヘッド部は消耗品として使い捨てができる。
【符号の説明】
【０００９】Ａ  スチール製スプリング
Ｂ  硬質プラスチック製ボール球
Ｃ  ハンドル
【手続補正３】
【補正対象書類名】図面
【補正対象項目名】全図
【補正方法】変更
【補正の内容】
【図１】
0003206625.tif 000004
(57)【要約】      （修正有）【課題】チューブ容器に充填されている溶液を容易に、また残すことなく絞り出すチューブ容器絞り機を提供する。【解決手段】四角柱の箱の内部に２つのローラー２を並列に設置し、当該箱の外部に当該ローラー２を回すためのハンドル３が設置された、チューブ容器絞り機１であって、前記２つのローラー２の間にチューブ容器６を挟みローラー２を回転させることで、チューブ容器６の中身を残さず容易に絞り出す。【選択図】図１
0003206627.tif 000002
【実用新案登録請求の範囲】
【請求項１】
この用具は、手動の鉛筆削機の様な外観であり、内蔵されている２個のローラーで歯磨き粉チューブ容器や化粧品チューブ容器等を挟み、チューブの中身を残さず容易に絞り出す事を特徴とするチューブ容器絞り機
【考案の詳細な説明】
【技術分野】
【０００１】  本考案は、チューブ容器に入れられた溶液を残さず絞り出す用具に関するものである。
【背景技術】
【０００２】  チューブ容器である、歯磨き粉や化粧品を使用する時、使い始めは容易に溶液を指で出すことができるが、溶液が少なくなると絞り出すのが難しくなる。
【考案の概要】
【考案が解決しようとする課題】
【０００３】  チューブ容器の商品を使用する場合、溶液が少なくなると指で絞り出す事が難しくなる。その結果、ある程度溶液を残したまま使用を止めてしまう。大変もったいない事です。このチューブ容器絞り機を使用する事で、簡単に溶液を最後まで使い切る事ができ、前述の課題を解決しようとするものである。
【課題を解決するための手段】
【０００４】  本考案は、四角柱の箱の内部に２個の硬質ゴム製ローラーを並列に設置し、箱の外部に設置されているハンドルを回す事により内部にあるローラーを回すことが出来るようになっている。２つのローラーの間にチューブ容器を挟みローラーを回転させ、溶液を絞り出すことで課題を解決している。
【考案の効果】
【０００５】  上述の様に、本考案のチューブ容器絞り機は内蔵した２つのローラーでチューブ容器を挟みながら回転する事により、溶液を簡単に残すことなく絞り出すことが出来る。
【図面の簡単な説明】
【０００６】
【図１】本考案のチューブ容器絞り機の実施例を示す正面図である。
【図２】チューブ容器絞り機の上面図である。
【考案を実施するための形態】
【０００７】チューブ容器絞り機の上部から、チューブ容器の平になっている底の部分をローラーとローラーとの隙間に挟み込むように入れる。それから絞り機の外部のハンドルをチューブ容器が内部に入る様に回す。するとチューブ容器内の溶液が出て来るので、必要な量が出てきたら回すのを止める。
【符号の説明】
【０００８】１  チューブ容器絞り機本体
２  硬質ゴムローラー
３  ハンドル
４  小ギヤ
５  大ギヤ
６  チューブ容器
７  溶液
【図１】
0003206627.tif 000003
【図２】
0003206627.tif 000004
【手続補正書】
【提出日】平成28年7月7日(2016.7.7)
【手続補正１】
【補正対象書類名】実用新案登録請求の範囲
【補正対象項目名】全文
【補正方法】変更
【補正の内容】
【実用新案登録請求の範囲】
【請求項１】
この用具は、四角柱の箱の内部に２つのローラーを並列に設置し、当該箱の外部に当該ローラーを回すためのハンドルが設置された、チューブ容器絞り機であって、前記２つのローラーの間にチューブ容器を挟みローラーを回転させることで、チューブの中身を残さず容易に絞り出すことを特徴とするチューブ容器絞り機